(57)【要約】【課題】ばね棒が設けられたバンドを時計ケースに容易に連結できる時計用バンドの取付工具を提供すること。【解決手段】時計ケースのカンにばね棒を介してバンドを連結する時計用バンドの取付工具１０は、長手状の本体部１１１を有する本体１１と、本体１１に対して長手方向に沿って移動可能に設けられるスライド部材１２とを備える。本体１１は、本体部１１１から延出する第１当接部１１２を備える。スライド部材１２は、第１当接部１１２と対向する第２当接部１２２を備える。第１当接部１１２及び第２当接部１２２の間隔は、スライド部材１２の移動に伴い変化する。【選択図】図４
2011164004.tif 000002
【特許請求の範囲】
【請求項１】
時計ケースのカンにばね棒を介してバンドを連結する時計用バンドの取付工具であって、
長手状の本体部を有する本体と、
前記本体部に対してその長手方向に沿って移動可能に設けられるスライド部材とを備え、
前記本体は、前記本体部から延出して前記ばね棒の一方の端部に当接可能な第１当接部を備え、
前記スライド部材は、前記第１当接部と対向し、前記ばね棒の他方の端部に当接可能な第２当接部を備え、
前記第１当接部及び前記第２当接部の間隔は、前記スライド部材の移動に伴い変化する
ことを特徴とする時計用バンドの取付工具。
【請求項２】
請求項１に記載の時計用バンドの取付工具において、
前記スライド部材及び前記本体部に掛け渡され、前記スライド部材の移動により前記第１、第２当接部が離間した際に、前記第１、第２当接部を近接させる方向に付勢するばねを備える
ことを特徴とする時計用バンドの取付工具。
【請求項３】
請求項１または請求項２に記載の時計用バンドの取付工具において、
前記ばね棒のピンには、前記ピンの径方向に突出する突出部が形成され、
前記各当接部の先端には、前記ピンを挿通する溝部と、前記突出部の外側面に接触する接触部とが設けられている
ことを特徴とする時計用バンドの取付工具。
【請求項４】
請求項１から請求項３のいずれかに記載の時計用バンドの取付工具において、
前記第１当接部と前記第２当接部との間の寸法を調節する調節部材を備え、
前記調節部材は、
前記本体部に取り付けられる支持部材と、前記支持部材に螺合され前記本体部の長手方向に沿って進退する調整ねじとを備え、
前記調整ねじは、前記スライド部材に当接し、前記第１当接部及び前記第２当接部の近接を規制して、前記第１当接部及び前記第２当接部の間隔の最小寸法を設定する
ことを特徴とする時計用バンドの取付工具。
【発明の詳細な説明】
【技術分野】
【０００１】
本発明は、時計用バンドの取付工具に関し、特に、ばね棒が設けられたバンドを時計ケースに取り付けるための時計用バンドの取付工具に関する。
【背景技術】
【０００２】
従来、時計用バンドを時計ケースのカンに取り付けるばね棒が知られている。このばね棒は、筒状部材と、この筒状部材の両端部に軸方向に沿って進退自在に設けられる一対のピンと、筒状部材の内部でピンを筒状部材の外側に付勢するばねとを備える。
ここで、ばね棒が設けられたバンドをケースに取り付ける際には、ばね棒用工具を用いることが知られている（例えば、非特許文献１参照）。
【０００３】
具体的には、まず、ばね棒をバンドのエンドピースに形成された連結孔に挿通しておく。そして、一方のピンをカン穴に通し、ばね棒用工具の先端に形成された溝部を他方のピンの先端に係合させて、ばねの付勢力に抗して筒状部材の内部に他方のピンを一旦後退させてからカン穴に通すことにより、バンドが時計ケースに取り付けられる。
【先行技術文献】
【非特許文献】
【０００４】
【非特許文献１】"時計修理専用工具"、［online］、株式会社明工舎製作所、ばね棒用工具、［平成２１年１２月２１日検索］、インターネット〈URL：http://www.mks-tool.co.jp/production/wrt/index.html〉
【発明の概要】
【発明が解決しようとする課題】
【０００５】
しかしながら、このばね棒用工具では、予め、ばね棒の一方のピンをバンドのエンドピースに形成された連結孔に挿通してから、他方のピンのみに対して溝部を係合させる必要がある。このため、ばね棒が水平になっていない状態で筒状部材の内部側に他方のピンをばねの付勢力に抗して押圧しなければならず、ばね棒が湾曲して変形するおそれがある。
そこで、２本のばね棒用工具を用いて、一対のピンをばねの付勢力に抗して、筒状部材の内部に後退させた状態でカン穴に通すことも考えられる。この場合、ばね棒の変形を防止できるが、ばね棒用工具を２本必要とする。そのため、作業者は両手で２本のばね棒用工具を同時に使用しなければならない。そして、この２本のばね棒用工具を用いて、一対のピンをばねの付勢力に抗して筒状部材の内部に後退させた状態を維持しつつ、カン穴に通す必要があり、取付作業が容易ではないという問題がある。
【０００６】
本発明の目的は、ばね棒が設けられたバンドを時計ケースに容易に取り付けることができる時計用バンドの取付工具を提供することにある。
【課題を解決するための手段】
【０００７】
本発明の時計用バンドの取付工具は、時計ケースのカンにばね棒を介してバンドを連結する時計用バンドの取付工具であって、長手状の本体部を有する本体と、前記本体部に対してその長手方向に沿って移動可能に設けられるスライド部材とを備え、前記本体は、前記本体部から延出して前記ばね棒の一方の端部に当接可能な第１当接部を備え、前記スライド部材は、前記第１当接部と対向し、前記ばね棒の他方の端部に当接可能な第２当接部を備え、前記第１当接部及び前記第２当接部の間隔は、前記スライド部材の移動に伴い変化することを特徴とする。
【０００８】
ここで、ばね棒は、上述したように、筒状部材と、この筒状部材の両端部に軸方向に沿って進退自在に設けられる一対のピンと、筒状部材の内部でピンを筒状部材の外側に付勢するばねとを備える。そして、バンドに取り付けられたばね棒をケースのカンに固定する際、ピンをばねの付勢力に抗して筒状部材の内部に後退させた状態を維持して、カン穴に通す必要がある。
本発明では、スライド部材を移動させるに伴って、本体の第１当接部と、スライド部材の第２当接部とが近接離間する。そして、各当接部を一対のピンの端部に当接させて、各当接部間の寸法が狭くなる方向にスライド部材を移動させると、一対のピンがばねの付勢力に抗して筒状部材の内部に後退する。これにより、各当接部がばね棒のピンを押し込んだ状態を容易に維持できる。
そして、この状態で、ケースのカン穴に対してピンを位置合わせし、時計用バンドの取付工具を引き上げる。これにより、当接部がばね棒のピンを押し込んだ状態が解除され、一対のピンは、ばねの付勢力で外側に突出し、カン穴に通ることとなる。
従って、作業者は、片手で本体を把持しつつ、スライド部材を移動させて、容易に作業できる。
【０００９】
本発明の時計用バンドの取付工具において、前記スライド部材及び前記本体部に掛け渡され、前記スライド部材の移動により前記第１、第２当接部が離間した際に、前記第１、第２当接部を近接させる方向に付勢するばねを備えることが好ましい。
【００１０】
本発明では、スライド部材及び本体部に掛け渡されるばねを備える。そして、このばねは、各当接部を離間させると、各当接部が近接する方向に付勢する。すなわち、各当接部を離間させる方向、すなわち、ばねの付勢力に抗する方向にスライド部材を移動させて、各当接部間にばね棒を配置した後、スライド部材の移動を解除すると、ばねの付勢力により第２当接部が第１当接部に向けて付勢されることとなる。これにより、作業者は、スライド部材を第１当接部に向けて移動させる手間を省くことができ、作業をより容易にできる。
さらに、ばねの付勢力をばね棒のばねの付勢力よりも大きく構成した場合には、作業者がスライド部材を離すと、ばね棒のピンをばねの付勢力によって筒状部材の内部に確実に後退させることができる。従って、作業者の作業をより容易にできる。
【００１１】
本発明の時計用バンドの取付工具では、前記ばね棒のピンには、前記ピンの径方向に突出する突出部が形成され、前記各当接部の先端には、前記ピンを挿通する溝部と、前記突出部の外側面に接触する接触部とが設けられていることが好ましい。
【００１２】
本発明では、各当接部がばね棒のピンを押し込む際に、ピンを溝部に挿通させて、接触部を突出部の外側面に接触させればよい。すなわち、溝部にばね棒のピンを挿通するので、ばね棒の軸直交方向の一方向を除いて、ばね棒が各当接部から外れることを防止でき、当接部のばね棒に対する位置ずれを防止できる。これに加えて、当接部の接触部がピンの突出部の外側面に接触しているので、当接部をばね棒の端面に当接させて、ピンを筒状部材の内部に後退させる場合と比べて、より確実にピンを筒状部材の内部に後退させることができる。
【００１３】
本発明の時計用バンドの取付工具では、前記第１当接部と前記第２当接部との間の寸法を調節する調節部材を備え、前記調節部材は、前記本体部に取り付けられる支持部材と、前記支持部材に螺合され前記本体部の長手方向に沿って進退する調整ねじとを備え、前記調整ねじは、前記スライド部材に当接し、前記第１当接部及び前記第２当接部の近接を規制して、前記第１当接部及び前記第２当接部の間隔の最小寸法を設定することが好ましい。
【００１４】
本発明では、各当接部間の寸法を調節する調節部材を備えている。
例えば、バンドに取り付けられたばね棒をケースのカンに固定する際、ばね棒の長さ寸法は、各当接部により、バンドの幅寸法と略同寸法とされる。
また、本発明の調節部材は、本体部に取り付けられる支持部材と、本体部の長手方向に沿って進退する調整ねじとを備えている。そして、調整ねじは、スライド部材に当接されて、各当接部の近接を規制して、各当接部間の最小寸法（バンドの幅寸法）を設定する。
これにより、調節部材により予め、各当接部間の寸法をバンドの幅寸法と略同寸法となるように調節しておけば、各当接部間の寸法がバンドの幅寸法よりも小さくなることを防止できる。すなわち、各当接部が作業者の力、またはばねの付勢力により、バンド幅寸法よりもさらに近接することを防止できる。従って、ばね棒に必要以上の力が加わって、ばね棒が湾曲して変形することを防止できる。
【図面の簡単な説明】
【００１５】
【図１】本発明の実施形態に係る時計の要部を拡大した平面図。
【図２】前記実施形態に係るばね棒の外観図。
【図３】前記ばね棒の断面図。
【図４】前記実施形態に係る取付工具の全体を示す斜視図。
【図５】前記取付工具の一部を拡大して示す側面図。
【図６】前記実施形態に係るバンドがケースに取り付けられる工程を示す図。
【図７】前記実施形態に係るバンドがケースに取り付けられる工程を示す図。
【図８】前記実施形態に係るバンドがケースに取り付けられる工程を示す図。
【発明を実施するための形態】
【００１６】
以下、本発明に係る一実施形態を図面に基づいて説明する。
［時計の概略構成］
図１は、時計１の要部を拡大した平面図である。
時計１は、時計ケース２を備え、ケース２の６時方向及び１２時方向（図１では６時方向のみ図示）には、ばね棒３によって装着用のバンド４が取り付けられる。
ケース２の６時方向及び１２時方向には、ケース２の側面から突出する一対のカン２１がそれぞれ設けられている。一対のカン２１には、ばね棒３が挿入されるカン穴２１１が同軸上にそれぞれ形成されている。
【００１７】
バンド４は、複数の駒４１が組み合わされて構成され、ケース２の６時方向及び１２時方向において一対のカン２１の間にそれぞれ配置されるエンドピース４２を両端に有する。
エンドピース４２には、バンド４の幅方向に貫通孔４２１が形成され、この貫通孔４２１にばね棒３が挿通される。
すなわち、カン２１の各カン穴２１１、及びエンドピース４２の貫通孔４２１が同軸上に配置されて、各カン穴２１１及び貫通孔４２１にばね棒３が挿通されることにより、ケース２とバンド４とが連結されている。
【００１８】
［ばね棒の構成］
図２は、ばね棒３の外観図である。図３は、ばね棒３の断面図であり、図３（Ａ）は、ばね棒３のばね３３が伸びている状態を示す断面図、図３（Ｂ）は、ばね棒３のばね３３が縮んでいる状態を示す断面図である。
ばね棒３は、バンド４（図１参照）の幅寸法と略同じ長さ寸法を有する円筒状の筒状部材３１と、この筒状部材３１の両端に挿入される一対のピン３２と、筒状部材３１の内部で一対のピン３２の間に位置し、両方のピン３２を筒状部材３１の外側に向けて付勢するばね３３とを備えている。
筒状部材３１の端部３１０には、筒状部材３１の径方向において、中心側に向けて延出した係止部３１Ａがそれぞれ形成されている。この係止部３１Ａは、ピン３２の段差部分（後述する大径部３２１と小径部３２２との段差部分）に係合し、ピン３２が筒状部材３１から外れることを防止するものである。
【００１９】
ピン３２は、筒状部材３１の軸方向に沿って進退可能とされている。このピン３２は、ばね３３が当接する大径部３２１と、大径部３２１の径寸法よりも小さく形成される小径部３２２とを備えている。
小径部３２２には、突出部としての第１つば部３２２１と、第２つば部３２２２とが略同一径となるように、間隔を空けて外側から順に形成されている。
第１つば部３２２１は、後述する時計用バンドの取付工具１０の各当接部１１２,１２２が当接する部分である。
ここで、ピン３２は、図３（Ａ）に示すように、ばね３３に付勢されて筒状部材３１の外側に突出した状態から、図３（Ｂ）に示すように、筒状部材３１の内側に向かってばね３３を押し縮めて、第２つば部３２２２が筒状部材３１の端部３１０に当接する状態まで、後退可能である。反対に、図３（Ｂ）の状態から、ばね３３の付勢力によりピン３２が突出すると、図３（Ａ）に示すように、大径部３２１と小径部３２２との段差部分が筒状部材３１の係止部３１Ａに当接するまで、突出可能である。
【００２０】
［時計用バンドの取付工具の構成］
図４は、時計用バンドの取付工具１０の全体を示す斜視図であり、図５は、時計用バンドの取付工具１０の一部を拡大して示す側面図である。
時計用バンドの取付工具１０（以下、取付工具１０と略す場合がある）は、バンド４のエンドピース４２に挿通されたばね棒３のピン３２を筒状部材３１の内部に押し込んで、ケース２のカン２１に対してバンド４を取り付ける工具である。この取付工具１０は、長手状の本体１１と、本体１１に対して長手方向に移動可能なスライド部材１２とを備えている。
【００２１】
［本体の構成］
本体１１は、長手状の本体部１１１と、本体部１１１の端部からその長手方向に対して略９０度方向に延出する第１当接部１１２とを備える。
【００２２】
本体部１１１の裏面側（図４の図面視の裏側）には、後述するコイルばね１３の一端が係合する係合突起部１１３１を有する板状の係合部１１３が取り付けられている。また、本体部１１１の端部が側面視コ字状に切り欠かれて、後述するスライド部材１２の延出部１２３及びコイルばね１３の一部が露出している。
第１当接部１１２の先端側には、Ｕ字状の溝部１１２１が形成され、この溝部１１２１には、ピン３２の小径部３２２が挿通される。また、第１当接部１１２は、溝部１１２１の周縁部分に形成される接触部１１２２を備え、この接触部１１２２は、ばね棒３の第１つば部３２２１の外側面３２２１Ａ（第２つば部３２２２に対向する側とは反対側の面）に接触される。
【００２３】
［スライド部材の構成］
スライド部材１２は、スライド部材本体１２１と、スライド部材本体１２１から延出し第１当接部１１２に対向する第２当接部１２２と、スライド部材本体１２１から本体部１１１の長手方向に沿って延出する長手棒状の延出部１２３とを備えている。
【００２４】
スライド部材本体１２１は、本体部１１１の長手方向に沿って移動可能に設けられている。そして、作業者は、片手で本体１１を把持しつつ、スライド部材１２を本体部１１１の長手方向に沿って移動させて、各当接部１１２，１２２を近接離間させる。これにより、各当接部１１２，１２２の間隔は、スライド部材１２の移動に伴い、変化する。
第２当接部１２２の先端側には、第１当接部１１２と同様に、Ｕ字状の溝部１２２１が形成され、この溝部１２２１には、ピン３２の小径部３２２が挿通される。また、第２当接部１２２は、溝部１２２１の周縁部分に形成される接触部１２２２を備え、この接触部１２２２は、ばね棒３の第１つば部３２２１の外側面３２２１Ａに接触される。
延出部１２３は、スライド部材本体１２１の裏面側（図４の図面視の裏側）にネジ等で固定されて、スライド部材本体１２１と一体化されている。これにより、延出部１２３は、スライド部材本体１２１と一体で移動するものである。この延出部１２３には、コイルばね１３が巻回されている。延出部１２３の一端側には、コイルばね１３の他端が係合する係合突起部１２３１が形成され、延出部１２３の中程には、係合部１１３の係合突起部１１３１が挿通するための長孔１２３２が形成されている。
長孔１２３２は、本体１１の長手方向に沿って延びており、スライド部材１２の長手方向の移動量に応じて、長手方向の径寸法が設定される。
【００２５】
コイルばね１３は、上述したように、係合部１１３の係合突起部１１３１と、延出部１２３の係合突起部１２３１とに係合され、本体部１１１とスライド部材１２とに架け渡される。このコイルばね１３は、スライド部材１２を第１当接部１１２に近接させる方向に付勢している。本実施形態では、コイルばね１３のばね定数は、ばね棒３のばね３３のばね定数よりも大きく設定され、コイルばね１３の付勢力は、ばね３３の付勢力よりも大きいものである。
【００２６】
［調節部材の構成］
調節部材２０は、本体部１１１の上部に取り付けられ、バンド４の幅寸法に基づいて、予め、各当接部１１２,１２２間の寸法を設定しておくものである。すなわち、各当接部１１２，１２２の間隔の最小寸法を設定することで、各当接部１１２，１２２がこの設定された寸法よりも小さくなることを規制し、ばね棒３に取付工具１０のコイルばね１３の付勢力が必要以上に加わることを防止している。この調節部材２０は、支持部材２０１と、調整ねじ２０２とを備えている。
【００２７】
支持部材２０１は、本体部１１１の上部に取り付けられ、調整ねじ２０２が螺合する螺合孔２０１Ａを有し、調整ねじ２０２を支持している。
調整ねじ２０２の先端部分は、スライド部材本体１２１に当接し、調整ねじ２０２は、各当接部１１２,１２２が互いに近接する動作を規制している。調整ねじ２０２は、回動されることで本体部１１１の長手方向に沿って進退し、バンド４の幅寸法に応じて、各当接部１１２,１２２間の寸法が調節される。
【００２８】
［ケースとバンドとの連結］
次に、取付工具１０を用いて、ケース２とバンド４とを連結する方法について、図６〜図８を参照して説明する。また、ばね棒３のばね３３の伸縮の説明については、図３も参照して説明する。
まず、図６に示すように、ばね棒３をバンド４の貫通孔４２１に挿通させる。次に、各当接部１１２,１２２間の寸法がバンド４の幅寸法と略同寸法となるように、図４に示す調節部材２０の調整ねじ２０２を回動させて調節する。
そして、作業者は、片手で本体１１を把持しながら、スライド部材１２をコイルばね１３の付勢力に抗して移動させて、各当接部１１２,１２２間の寸法がばね棒３の長さ寸法よりも大きくなるように離間させる。
【００２９】
そして、スライド部材１２のコイルばね１３の付勢力に抗する移動を解除すると、図７に示すように、ばね棒３の小径部３２２が各当接部１１２,１２２の溝部１１２１,１２２１に挿通される。さらに、第２当接部１２２がコイルばね１３の付勢力で第１当接部１１２に向けて移動することで、各当接部１１２，１２２の接触部１１２２，１２２２が、ばね棒３の第１つば部３２２１の外側面３２２１Ａに接触する。そして、スライド部材１２が調節部材２０の調整ねじ２０２に当接するまで移動する。
この際、コイルばね１３の付勢力がばね棒３のばね３３の付勢力よりも大きいため、ばね棒３のピン３２がばね３３の付勢力に抗して筒状部材３１の内部に後退し、各当接部１１２,１２２がエンドピース４２の貫通孔４２１の両端に形成される切欠部４２２に入り込む。すなわち、第２当接部１２２は、コイルばね１３の付勢力により、第１当接部１１２に向けて付勢されて、ばね棒３のピン３２は、各当接部１１２,１２２により筒状部材３１の内部に後退させられた状態となる。
【００３０】
次に、この状態で、バンド４をばね棒３のピン３２がカン穴２１１に通るように位置付ける。
そして、図８に示すように、取付工具１０を引き上げると、ピン３２がばね３３の付勢力により筒状部材３１の外側に突出し、カン穴２１１に通る。これにより、エンドピース４２がカン２１に連結されて、バンド４がケース２に固定される。
【００３１】
一方、バンド４をケース２から取り外す際には、取付工具１０の各溝部１１２１，１２２１を第１つば部３２２１と第２つば部３２２２との間に挿通する。そして、作業者は、本体１１を把持しながら、スライド部材１２を各当接部１１２，１２２が近接する方向へ動作させる。これにより、各接触部１１２２，１２２２が第２つば部３２２２の外側面に接触し、ピン３２が筒状部材３１の内部に後退するとともに、カン穴２１１から外れ、バンド４がケース２から取り外される。
【００３２】
上述した本実施形態の時計バンド用の取付工具１０によれば、以下の効果を奏する。
本実施形態では、取付工具１０は、本体１１の長手方向に沿って移動するスライド部材１２を備える。これによれば、作業者は、片手で本体１１を把持しながら、スライド部材１２を操作することで、本体１１の第１当接部１１２とスライド部材１２の第２当接部１２２とを容易に近接離間できる。従って、各当接部１１２，１２２がばね棒３のピン３２を筒状部材３１の内部に後退させる操作を容易にできる。そして、ばね棒３のピン３２をカン穴２１１に対して位置合わせした後、取付工具１０を引き上げれば、各当接部１１２，１２２がばね棒３のピン３２を押し込んだ状態が解除され、ピン３２は、コイルばね１３の付勢力で外側に突出し、カン穴２１１に通ることとなる。
従って、作業者は、片手で本体１１を把持しつつ、スライド部材１２を移動させて、容易に作業できる。
また、スライド部材１２の移動に伴って本体１１の長手方向に沿って伸縮するコイルばね１３を備える。このコイルばね１３は、第２当接部１２２を第１当接部１１２に近接させる方向に付勢する。これによれば、コイルばね１３により第２当接部１２２が第１当接部１１２に近接する方向に付勢されるので、作業者は、スライド部材１２を第１当接部１１２に近接させる方向へ動作させる作業を省くことができ、作業をより容易にできる。
【００３３】
さらに、各当接部１１２，１２２は、小径部３２２に挿通される溝部１１２１，１２２１と、第１つば部３２２１の外側面３２２１Ａに接触する接触部１１２２，１２２２とを備えている。すなわち、溝部１１２１，１２２１には、ばね棒３のピン３２が挿通されているので、ばね棒３の軸直交方向の一方向を除いて、ばね棒３が各当接部１１２，１２２から外れることを防止でき、当接部１１２，１２２のばね棒３に対する位置ずれを防止できる。これに加えて、当接部１１２，１２２の接触部１１２２，１２２２がピン３２の第１つば部３２２１の外側面３２２１Ａに接触しているので、当接部１１２，１２２をばね棒３の端面に当接させて、ピン３２を筒状部材３１の内部に後退させる場合と比べて、当接部１１２，１２２がばね棒３に対して位置ずれすることなく、より確実にピン３２を筒状部材３１の内部に後退させることができる。
また、本体１１には、各当接部１１２，１２２間の寸法を調節する調節部材２０が取り付けられている。この調節部材２０の調整ねじ２０２は、スライド部材１２に当接されて、各当接部１１２，１２２の近接を規制して、各当接部１１２，１２２間の最小寸法（バンド４の幅寸法）を設定する。これにより、調節部材２０により予め、各当接部１１２，１２２間の寸法をバンド４の幅寸法と略同寸法となるように調節しておけば、各当接部１１２，１２２間の寸法がバンド４の幅寸法よりも小さくなることを防止できる。すなわち、各当接部１１２，１２２が作業者の力、またはコイルばね１３の付勢力により、バンド４の幅寸法よりもさらに近接することを防止できる。従って、ばね棒３に必要以上の力が加わって、ばね棒３が湾曲して変形することを防止できる。
【００３４】
［実施形態の変形］
なお、本発明は前述の実施形態に限定されるものではなく、本発明の目的を達成できる範囲での変形、改良等は本発明に含まれるものである。
前記実施形態では、本体１１にコイルばね１３及び調節部材２０を設けたが、コイルばね１３及び調節部材２０を設けない構成であってもよく、いずれか一方を設ける構成であってもよい。
前記実施形態では、取付工具１０の各当接部１１２,１２２の溝部１１２１,１２２１にばね棒３の小径部３２２を挿通して、接触部１１２２，１２２２を第１つば部３２２１に接触させていたが、溝部１１２１,１２２１を設けない構成であってもよい。この場合には、接触部１１２２，１２２２をばね棒３の端面に対して接触させればよい。
【００３５】
前記実施形態では、ばね棒３の周方向に沿って第１つば部３２２１が形成されていたが、周方向に沿って形成されていなくてもよく、単に突起部が形成されているだけでもよい。
前記実施形態では、溝部１１２１,１２２１はＵ字状に形成されたが、例えば、Ｖ字状、Ｌ字状等であってもよい。
【符号の説明】
【００３６】
２…時計ケース、３…ばね棒、４…バンド、１０…時計用バンドの取付工具、１１…本体、１２…スライド部材、１３…コイルばね（ばね）、２０…調節部材、２１…カン、３２…ピン、１１１…本体部、１１２…第１当接部、１２２…第２当接部、２０１…支持部材、２０２…調整ねじ、１１２１…溝部、１１２２…接触部、１２２１…溝部、１２２２…接触部、３２２１…第１つば部（突出部）、３２２１Ａ…外側面。
【図１】
2011164004.tif 000003
【図２】
2011164004.tif 000004
【図３】
2011164004.tif 000005
【図４】
2011164004.tif 000006
【図５】
2011164004.tif 000007
【図６】
2011164004.tif 000008
【図７】
2011164004.tif 000009
【図８】
2011164004.tif 000010